(57)【要約】【課題】自店メダルとして登録された自店のメダル枚数と他店で使用されているメダル枚数および総メダル枚数とをメダル計数機の表示部に表示することにより、自店メダル枚数および他店メダル枚数を確実に把握／管理することができるメダル計数管理システムを提供する。【解決手段】メダル計数機２００は、自店メダル登録部２１０に登録されたメダルの画像情報に基づいて、メダル計数機構２７０により計数された複数のメダルが自店メダルか他店メダルかを判別する自店／他店メダル判別部２２０と、メダル計数機構２７０により計数されたメダルの総計数値と、自店／他店メダル判別部２２０により判別された自店メダルの計数値と他店メダルの計数値とを別々に表示する表示部２５１とを備える。【選択図】        図３
2006296989.tif 000002
【特許請求の範囲】
【請求項１】
遊技者が獲得したメダルの計数をおこなうメダル計数機を備えたメダル計数管理システムであって、
前記メダル計数機は、
前記メダルの計数をおこなうメダル計数手段と、
自店で使用するメダルの画像情報を自店メダル情報として登録する自店メダル情報登録手段と、
前記自店メダル情報登録手段によって登録された前記画像情報を記憶／格納する自店メダル情報データベースと、
前記メダル計数手段によって計数されるメダルの画像情報を特定情報として取得する特定情報取得手段と、
前記自店メダル情報登録手段に登録された自店メダルの画像情報と、前記特定情報取得手段によって取得された計数メダルの画像情報を照合し、当該メダルが自店メダルであるか否かを判別する自店メダル判別手段と、
前記メダル計数手段によるメダルの総計数値と、前記自店メダル判別手段により自店メダルであると判別された自店メダル計数値と、自店メダルではないと判別された非自店メダル計数値とを別々に表示する表示手段と
を備えたことを特徴とするメダル計数管理システム。
【請求項２】
前記メダル計数手段によるメダルの総計数値と、前記自店メダル判別手段により判別された自店メダルの計数値とを別々に印字する印字手段をさらに備えたことを特徴とする請求項１に記載のメダル計数管理システム。
【請求項３】
前記非自店メダル計数値の上限値を設定する上限計数値設定手段をさらに備え、前記自店メダル判別手段により自店メダルではないと判別された非自店メダル計数値が、前記上限計数値設定手段により設定された上限値を超えた場合に、前記表示手段に自店メダル計数値および非自店メダル計数値を別々に表示することを特徴とする請求項１または２に記載のメダル計数管理システム。
【請求項４】
前記自店メダル判別手段により自店メダルではないと判別された非自店メダル計数値が、前記上限計数値設定手段により設定された上限値を超えた場合に、前記印字手段により自店メダル計数値と非自店メダル計数値とを印字することを特徴とする請求項３に記載のメダル計数管理システム。
【請求項５】
前記自店メダル判別手段は、メダル計数時の初期に投入される所定の枚数までを対象として自店メダルであるか否かの判別処理をおこなう機能を備え、当該所定枚数までを対象とする判別処理により非自店メダル計数値が予め設定した規定枚数よりも少ないと判別された場合は、当該自店メダル判別手段による判別制御を停止する制御をおこない、前記非自店メダル計数値が予め設定した規定枚数よりも多いと判別された場合は、以降、全てのメダルを対象とする判別処理をおこなうことを特徴とする請求項１〜４のいずれか一つに記載のメダル計数管理システム。
【請求項６】
前記自店メダル判別手段により自店メダルと判別されたメダルと、非自店メダルと判別されたメダルとを別々の搬送経路に分岐させて搬送する分岐機構を備えることを特徴とする請求項１〜５のいずれか一つに記載のメダル計数管理システム。
【請求項７】
前記自店メダル判別手段により非自店メダルと判別されたメダルを、自店メダルと判別されたメダルとは別に収納する非自店メダル収納手段をさらに備えることを特徴とする請求項１〜６のいずれか一つに記載のメダル計数管理システム。
【請求項８】
前記表示手段による表示或いは、前記印字手段による印字を切り換えるための表示／印字切り換え手段を備えることを特徴とする請求項２〜７のいずれか一つに記載のメダル計数管理システム。
【請求項９】
会員用の記録媒体を受け付け可能であって、当該会員を特定する識別ＩＤに関連付けて、会員が遊技により獲得した自店のメダル枚数およびメダルの累積枚数を、前記記録媒体に関連付ける記録媒体処理端末機を備えることを特徴とする請求項１〜８のいずれか一つに記載のメダル計数管理システム。
【発明の詳細な説明】
【技術分野】
【０００１】
この発明は、遊技媒体（メダル）の計数をおこなうメダル計数管理システムに関し、特に、遊技者が獲得したメダルを計数した際に、当該遊技店で所有される正当なメダル（自店メダル）の枚数と、それ以外のメダル（非自店メダル）の枚数とをメダル計数機で表示することにより、自店メダルと非自店メダルの総数を確実に把握／管理することができるメダル計数管理システムに関する。
【背景技術】
【０００２】
従来より、メダルを遊技媒体とするスロットマシン（パチスロ機）などの遊技機が設置された遊技ホールでは、メダルの貸し出しをおこなうメダル貸出機と、メダルの計数をおこなうメダル計数機が設置されているのが一般的である。具体的に説明すると、メダル貸出機は、パチスロ機に隣設されており、遊技客によってメダル貸出機の紙幣投入口に紙幣が挿入されると、所定枚数のメダルを投出し、遊技客は、このメダル貸出機から投出されたメダルを使用することによりパチスロ機による遊技をおこなうことができる。
【０００３】
この種の一般的なメダル計数機としては、投入されたメダルを回転円板で１枚ずつ繰り出し、繰り出されたメダルの枚数を、計数センサで計数するメダル計数機が知られている（例えば、特許文献１参照）。ところが、このメダル計数機の計数センサには、遮光／透光のみでメダルの有無を判断する光学式センサ（フォトインタラプタ）が採用されているため、正当な自店メダル以外に、他店メダルや同じサイズの金属板（非自店メダル）が不正に持ち込まれても、区別できずに計数されてしまい、これにより、遊技店が損害を被る可能性がある。
【０００４】
そこで、従来では、自店メダルと非自店メダルとの区別をおこなうために、メダルを特殊な材質で製造し、メダル計数機で計数をおこなう際に、投入されたメダルの材質をチェックする技術が開示されている（例えば、特許文献２参照）。また、メダルに非接触型ＩＣチップを埋め込み、メダル計数機で計数をおこなう際に、ＩＣチップの有無やデータ内容をチェックする技術が開示されている（例えば、特許文献３参照）。
【０００５】
【特許文献１】特開平９−３５１０７号公報
【特許文献２】特開平９−２９９６０４号公報
【特許文献３】特開２００２−１７７６２６号公報
【発明の開示】
【発明が解決しようとする課題】
【０００６】
ところが、上述したメダル計数機に関する従来技術の場合、以下に示すような問題がある。すなわち、特殊な材質でメダルを作成したり、メダルに非接触ＩＣチップを埋め込むというのは、メダルを作成する際のコストが高くなるというコスト面に大きな問題がある。つまり、遊技場で使用されるメダルは極めて枚数が多くメダルのコストアップは、遊技場サイドの経営に悪影響を与えることとなる。
【０００７】
また、遊技場において使用されるメダルは、一括してベルト搬送されたり、洗浄されるため、このメダルに埋め込まれたＩＣチップが破損される可能性もあり、このＩＣチップが破損したメダルが非自店メダルと判別されると遊技客が不利益を被ることとなる。また、メダル計数機によって計数されたメダルが非自店メダルであると判定されても、その遊技客が悪意をもって、この非自店メダルを遊技場に持ち込んだとは限らず、他の遊技客によって持ち込まれた非自店メダルが循環されて混入しているとも考えられる。このような理由から、単純に非自店メダルと判定したメダルを排除し、計数カウントの対象外としてしまうと遊技客が不利益を被ることとなる。
【０００８】
そこで、この発明は、上述した従来技術による問題点を解決するためになされたものであり、自店メダルと他店メダルの判別を画像情報をもとにおこなうとともに、自店で登録されているメダルの枚数と他店メダルと判定されたメダルの枚数とを別々に表示部に表示することにより、自店メダル以外のメダルの流入および不正な計数を抑制／抑止することができるメダル計数管理システムを提供することを目的とする。
【課題を解決するための手段】
【０００９】
上述した課題を解決し、目的を達成するために、本発明は、遊技者が獲得したメダルの計数をおこなうメダル計数機を備えたメダル計数管理システムであって、前記メダル計数機は、前記メダルの計数をおこなうメダル計数手段と、自店で使用するメダルの画像情報を自店メダル情報として登録する自店メダル情報登録手段と、前記自店メダル情報登録手段によって登録された前記画像情報を記憶／格納する自店メダル情報データベースと、前記メダル計数手段によって計数されるメダルの画像情報を特定情報として取得する特定情報取得手段と、前記自店メダル情報登録手段に登録された自店メダルの画像情報と、前記特定情報取得手段によって取得された計数メダルの画像情報を照合し、当該メダルが自店メダルであるか否かを判別する自店メダル判別手段と、前記メダル計数手段によるメダルの総計数値と、前記自店メダル判別手段により自店メダルであると判別された自店メダル計数値と、自店メダルではないと判別された非自店メダル計数値とを別々に表示する表示手段と、を備えたことを特徴とする。
【００１０】
また、本発明は、上記発明において、前記メダル計数手段によるメダルの総計数値と、前記自店メダル判別手段により判別された自店メダルの計数値とを別々に印字する印字手段をさらに備えたことを特徴とする。
【００１１】
また、本発明は、上記発明において、前記非自店メダル計数値の上限値を設定する上限計数値設定手段をさらに備え、前記自店メダル判別手段により自店メダルではないと判別された非自店メダル計数値が、前記上限計数値設定手段により設定された上限値を超えた場合に、前記表示手段に自店メダル計数値および非自店メダル計数値を別々に表示することを特徴とする。
【００１２】
また、本発明は、上記発明において、前記自店メダル判別手段により自店メダルではないと判別された非自店メダル計数値が、前記上限計数値設定手段により設定された上限値を超えた場合に、前記印字手段により自店メダル計数値と非自店メダル計数値とを印字することを特徴とする。
【００１３】
また、本発明は、上記発明において、前記自店メダル判別手段は、メダル計数時の初期に投入される所定の枚数までを対象として自店メダルであるか否かの判別処理をおこなう機能を備え、当該所定枚数までを対象とする判別処理により非自店メダル計数値が予め設定した規定枚数よりも少ないと判別された場合は、当該自店メダル判別手段による判別制御を停止する制御をおこない、前記非自店メダル計数値が予め設定した規定枚数よりも多いと判別された場合は、以降、全てのメダルを対象とする判別処理をおこなうことを特徴とする。
【００１４】
また、本発明は、上記発明において、前記自店メダル判別手段により自店メダルと判別されたメダルと、非自店メダルと判別されたメダルとを別々の搬送経路に分岐させて搬送する分岐機構を備えることを特徴とする。
【００１５】
また、本発明は、上記発明において、前記自店メダル判別手段により非自店メダルと判別されたメダルを、自店メダルと判別されたメダルとは別に収納する非自店メダル収納手段をさらに備えることを特徴とする。
【００１６】
また、本発明は、上記発明において、前記表示手段による表示或いは、前記印字手段による印字を切り換えるための表示／印字切り換え手段を備えることを特徴とする。
【００１７】
また、本発明は、上記発明において、会員用の記録媒体を受け付け可能であって、当該会員を特定する識別ＩＤに関連付けて、会員が遊技により獲得した自店のメダル枚数およびメダルの累積枚数を、前記記録媒体に関連付ける記録媒体処理端末機を備えることを特徴とする。
【発明の効果】
【００１８】
本発明によれば、メダル計数機は、メダル計数手段により計数されたメダルを画像情報に基づいて、自店メダルか非自店メダルかを判別する自店メダル判別手段と、メダル計数手段によるメダルの総計数値と、自店メダル判別手段により判別された自店メダルの計数値と非自店メダルの計数値とを別々に表示する表示手段とを備えたので、表示手段に表示された表示により、メダル計数値の合計値と、自店メダルの計数値と、非自店メダルの計数値とを目視により容易且つ確実に把握することができるうえ、不正な計数に対する防止対策およびセキュリティ機能を向上できるという効果を奏する。
【００１９】
また、メダルの画像情報により自店メダルと非自店メダルとの判別をおこなっているので、ＩＣチップなどを埋め込んだメダルと異なり、コストアップなどの問題が生じることがないうえ、メダルの画像情報をもとに自店メダルの判別を確実におこなうことができ、これによって、不正な計数にともなう遊技店にとっての不利益を回避することができるという効果を奏する。
【００２０】
また、本発明によれば、メダル計数手段によるメダルの総計数値と、自店メダル判別手段により判別された自店メダルの計数値とを別々に印字する印字手段をさらに備えたので、印字手段により印字された印字により、メダル計数値の合計値と、自店メダルの計数値とを容易且つ確実に把握し、厳正な管理をおこなうことができるという効果を奏する。
【００２１】
また、本発明によれば、非自店メダル計数値の上限値を設定する上限計数値設定手段をさらに備え、前記自店メダル判別手段により自店メダルではないと判別された非自店メダル計数値が、上限計数値設定手段により設定された上限値を超えた場合に、前記表示手段に自店メダル計数値および非自店メダル計数値を別々に表示するので、非自店メダル枚数が多いと判別された場合にのみ、表示手段によりメダル計数値の合計値、自店メダルの計数値、非自店メダルの計数値とを表示手段に表示することから、効率的にメダルの計数値を目視により容易且つ確実に把握することができるという効果を奏する。
【００２２】
また、本発明によれば、自店メダル判別手段により自店メダルではないと判別された非自店メダル計数値が、上限計数値設定手段により設定された上限値を超えた場合に、印字手段により自店メダル計数値と非自店メダル計数値とを印字するので、非自店メダル枚数が多いと判別された場合にのみ、印字手段によりメダル計数値の合計値、自店メダルの計数値、非自店メダルの計数値とを印字することから、効率的にメダルの計数値を容易且つ確実に把握し、厳正な管理をおこなうことができるという効果を奏する。
【００２３】
また、本発明によれば、自店メダル判別手段は、メダル計数時の初期に投入される所定の枚数までを対象として自店メダルであるか否かの判別処理をおこなう機能を備え、当該所定枚数までを対象とする判別処理により非自店メダル計数値が予め設定した規定枚数よりも少ないと判別された場合は、当該自店メダル判別手段による判別制御を停止する制御をおこない、前記非自店メダル計数値が予め設定した規定枚数よりも多いと判別された場合は、以降、全てのメダルを対象とする判別処理をおこなうので、初期に判別した非自店メダル枚数に応じて、非自店メダル枚数が多いと推測された場合にのみ、自店メダル判別処理を継続しておこなうことから、メダルの計数速度を低下させることなく、効率的にメダルの判別処理の実行および自店メダルと非自店メダルの計数管理をおこなうことができるという効果を奏する。
【００２４】
また、本発明によれば、自店メダル判別手段により自店メダルと判別されたメダルと、非自店メダルと判別されたメダルとを別々の搬送経路に分岐させて搬送する分岐機構を備えるので、分岐機構により自店メダルは、研磨装置により研磨され搬送通路を通じて、遊技客に対する貸し出し用のメダルとして再利用することができるとともに、他店メダルは、遊技ホールの島内に流通することなく容易、且つ、確実に回収することができるという効果を奏する。
【００２５】
また、本発明によれば、自店メダル判別手段により非自店メダルと判別されたメダルを、自店メダルと判別されたメダルとは別に収納する非自店メダル収納手段をさらに備えるので、自店メダルは、再利用するための貸し出し用のメダルとして収納できるとともに、非自店メダルは、遊技ホールの島内に流通することなく容易、且つ、確実に回収することができるという効果を奏する。
【００２６】
また、本発明によれば、表示手段による表示或いは、印字手段による印字を切り換えるための表示／印字切り換え手段を備えるので、容易に自店のメダル枚数および他店のメダル枚数の印字を実行するか否かを設定することができ、これにより、遊技ホールの係員による操作性を向上できるという効果を奏する。
【００２７】
また、本発明によれば、会員用の記録媒体を受け付け可能であって、当該会員を特定する識別ＩＤに関連付けて、会員が遊技により獲得した自店のメダル枚数およびメダルの累積枚数を、記録媒体に関連付ける記録媒体処理端末機を備えるので、会員用の記録媒体を所有する会員にとっての利便性をより向上できるという効果を奏する。
【発明を実施するための最良の形態】
【００２８】
以下に添付図面を参照して、この発明に係るメダル計数管理システムの好適な実施例を詳細に説明する。なお、以下に示す実施例１では、本発明に係るメダル計数管理システムをメダルを使用するパチスロ遊技に適用した場合を示すこととする。なお、以下では、本実施例１に係るメダル計数管理システムの概要および特徴を説明し、これに続いて、このメダル計数管理システムの構成および機能の詳細を説明し、その後、メダル計数管理システムによる全体処理に関する処理手順を説明することとする。
【００２９】
ここで、本明細書中で示す他店メダル（請求項では、「非自店メダル」として記載）とは、他の遊技店で使用されていたメダル以外に、例えば、パチスロ機用のメダルとして偽造されたメダルや、金属板などを単に円板状に打ち抜き成形したものも含むものとする。
【実施例１】
【００３０】
（メダル計数管理システムの概要および特徴）
まず最初に、本実施例１に係るメダル計数管理システムの概要および特徴を説明する。図１は、本実施例１に係るメダル計数管理システムの概略構成を示す機能ブロック図である。また、図２は、メダル計数機２００とレシート・カード端末機３００の概略構成を示す斜視図である。また、図３は、メダル計数機２００の全体構成を示す機能ブロック図を、図４は、レシート・カード端末機３００の全体構成を示す機能ブロック図をそれぞれ示している。
【００３１】
図１に示すように、このメダル計数管理システムは、遊技ホールの事務所内に設置するターミナルコントローラ１４０を中心として、このターミナルコントローラ１４０と島コントローラ１２０に通信接続される複数のパチスロ機１００とメダル貸出機１１０とメダル計数機２００とにより構築されたシステムである。すなわち、このメダル計数管理システムは、遊技ホール内のそれぞれ「島」と呼ばれるグループごとに複数のパチンコ機１００と、このパチンコ機１００に併設されたメダル貸出機１１０が据置されており、さらに、遊技ホール内の島端などにメダル計数機２００を据置し、このメダル計数機２００により遊技客が遊技により獲得したメダルの計数をおこなうとともに、このメダル計数機２００によるメダル枚数を管理するシステムとして構築されている。
【００３２】
島コントローラ１２０は、それぞれの島内のパチスロ機１００、メダル貸出機１１０に対する制御機能および管理機能を備えている。また、これら島コントローラ１２０は、ターミナルコントローラ１４０により一括管理されている。
【００３３】
パチスロ機１００は、メダルを使用して回転する絵柄を揃える操作により遊技をおこなう遊技機である。メダル貸出機１１０は、このメダル貸出機１１０に紙幣が投入された際に、所定量（１０００円で５０枚）のメダルを投出して遊技用のメダルの貸し出し処理をおこなう装置である。このメダル貸出機１１０は、遊技ホールに設置された複数のパチスロ機１００それぞれに対して１台ずつペアとなるように用意され、パチスロ機１００の相互間に挟まれるように設置してある。
【００３４】
図２に示すように、メダル計数管理システムにおいて、メダル計数機２００は、遊技客が遊技により獲得したメダル数（メダルの総枚数）の計数および計数値（メダル総枚数、自店メダル枚数、他店メダル枚数）を表示部２５１に表示するとともに、このメダル計数機２００に隣接されたレシート・カード端末機３００によりメダルの総枚数を印字したレシートやメダルの総枚数を記憶したカードなどを発行する機能を備えている。
【００３５】
ここで、図２では、メダル計数機２００に隣接して、レシート・カード端末機３００が据置された例で説明する。ここで、本例において、メダル計数機２００本体とレシート・カード端末機３００とを別体構成としているが、メダル計数機２００本体とレシート・カード端末機３００とを一体構成とすることもできる。また、メダル計数機２００に接続されたレシート・カード端末機３００は、メダル計数機２００の表示部２５１に表示されたメダルの総計数値と、自店メダルの計数値と他店メダルの計数値とを別々にレシートに印字し、このレシートをレシート排出口から排出するようになっている。なお、このメダル計数機２００およびレシート・カード端末機３００の機構（機能）は、本発明の特徴部分であるため構成および機能の詳細は、後述する。
【００３６】
すなわち、以上のように構成されるメダル計数管理システムにおいて、本実施例１に係るメダル計数機２００は、メダルの計数時に、他店のメダルが混入した場合を想定し、自店で登録されているメダルの枚数と他店で登録されているメダルの枚数とを別々に区分して表示部に表示することに特徴がある。
【００３７】
以下、図２を参照して、本実施例１における主たる特徴を具体的に説明する。この図２に示すように、本実施例１では、メダル計数機２００に隣接して、レシート・カード端末機３００が据置された例で説明する。すなわち、上述した本実施例１の特徴で説明したように、メダル計数機２００の表示部２５１は、従来と同様に、メダル総計数値、景品数、余り数の他に、自店メダル枚数および他店メダル枚数をそれぞれ表示する機能を備えている。また、レシート・カード端末機３００は、メダル計数機２００の表示部２５１に表示されたメダル総計数値、自店メダル枚数および他店メダル枚数をそれぞれレシートに印字し、レシート排出口３５０から出力する機能を備えている。このため、図２に示すように、メダル計数機２００とレシート・カード端末機３００とは、接続ケーブルにより接続されている。
【００３８】
このメダル計数機２００の特徴を具体的に説明すると、メダル計数機２００は、予め、特定情報登録部２１１により、自店で所有するメダルの画像情報を特定情報としてを登録し、この特定情報登録部２１１により登録されたメダルの特定情報を、自店メダルの特定情報として自店メダル情報登録部２１２により登録しており、さらに、この自店メダル情報登録部２１２に登録された自店のメダルとして登録された画像情報と、投入されたメダルの画像情報とを照合することにより、このメダルが自店のメダルか他店のメダルかを自店／他店メダル判別部２２０により判別し、さらに、メダル計数部２７１により計数されたメダルの総計数値と、自店／他店メダル判別部２２０により判別された自店メダルの計数値と他店メダルの計数値とを別々に表示部２５１に表示するようにしている。
【００３９】
すなわち、これによって自店で登録した自店メダル（指定メダル）のメダル枚数および他店メダルの枚数を正確に把握することができるうえ、不正な計数に対する防止対策およびセキュリティ機能を向上することができる。
【００４０】
ここで、メダル計数機２００でメダルの計数をおこなうのは、遊技ホールの店員がおこなうことを原則としているが、遊技客が会員の場合は、身元が明確であるため会員自身がメダル計数機２００による計数をおこなうものとし、会員カードを所有しない会員以外の遊技客がメダル計数機２００を使用して、メダルの計数をおこなう場合には、この遊技客が計数をおこなうのではなく、遊技ホールの店員がメダル計数機２００に店員用のＩＤカードを挿入した時に、実際の計数がおこなわれるものとなる。
【００４１】
（メダル計数機２００の構成および機能の詳細）
次に、図３を参照してメダル計数機２００の内部構成および機能の詳細について説明する。すなわち、図３に示すように、メダル計数機２００の内部は、自店メダル登録部２１０と、自店／他店メダル判別部２２０と、メモリ２３０と、他店メダル排除機構２４０と、表示部２５１（モニタ）と、表示制御部２５２と、各種指示入力を受け付ける操作部２６０と、制御部２６５と、メダル計数機構２７０と、電源部２８０と、通信Ｉ／Ｆ部２８５と、レシート発行切換スイッチ２９０とを備えている。前述したように、このメダル計数機２００は、２種類（通常メダル／沖縄メダル）のメダル（φ２５／φ３０）を計数する機能を備えており、自店で使用するメダルの表面および裏面には、メダルを自店のメダルとして特定するための画像情報（模様／イメージ情報）が印刷或いは、刻印されている。
【００４２】
自店メダル登録部２１０は、特定情報登録部２１１と、自店メダル情報登録部２１２と、自店メダル情報データベース２１３とを備えており、このうち、特定情報登録部２１１は、自店で所有するメダルの画像情報（模様／イメージ情報）を特定情報として登録する機能を備えている。また、自店メダル情報登録部２１２は、特定情報登録部２１１に基づいて、登録されたメダルの画像情報を自店／他店メダルの特定情報として登録する機能を備えている。
【００４３】
具体的には、メダル計数機２００を導入した際、或いは、新規の模様が印字／刻印されたメダルを導入した際に、係員の操作によって、登録モードに入り、自店のメダルをメダル計数機２００に流すことにより、メダルの新規の模様などが画像情報として登録されるものとする。
【００４４】
なお、自店メダルの表面および裏面に印刷或いは、刻印されている特定の画像情報（模様／イメージ情報）は、遊技ホールで開催されるイベントなどにより適宜、変更する場合がある。このため、特定情報登録部２１１には、１パターンの特定情報ではなく、複数種類の特定画像情報を登録できる機能を備えるようにしている。
【００４５】
また、自店メダルとして１種類のメダルしか使用されない運用であっても、メダルの表面と裏面とで模様が異なるメダルを使用する場合は、２種類（表面／裏面）の画像情報を登録する必要が生じる。
【００４６】
自店メダル情報データベース２１３は、自店メダル情報登録部２１２により登録された自店メダルの特定情報を記憶／格納する機能を備えている。この自店メダル情報データベース２１３には、自店で所有する所定枚数分（約、５０枚分）のメダルの表裏に印刷（刻印）されている画像情報（特定情報）をサンプルデータとして記憶／格納することができる。
【００４７】
自店／他店メダル判別部２２０は、メダルの画像情報に基づいて、メダルホッパー内に投入された複数枚のメダルが自店メダルか他店メダルであるかを判別する機能を備えている。また、この自店／他店メダル判別部２２０は、メダル上限枚数設定部２２１とメダル規定枚数設定部２２２とを備えている。具体的には、予め、自店で使用しているメダルの表面に印字或いは刻印された画像情報は登録されているため、この登録されたメダルの画像情報と、メダル計数機２００に計数を目的として投入されたメダルの表面に印字或いは刻印された画像情報（判別センサ２２４により読取った画像情報）とを照合し、比較することで、自店メダルであるか他店メダルであるかの判別をおこなう機能を備えている。
【００４８】
メダル上限枚数設定部２２１は、他店メダルの上限値（上限枚数）を設定する機能を備えている。このメダル上限枚数設定部２２１により他店メダルの上限値を設定することにより、他店メダルの混入が多いか少ないかの判別基準としており、後述するように、このメダル上限枚数設定部２２１により設定された上限値よりも他店メダルのメダルと判別されたメダル枚数が超えていると判別された場合に、表示部２５１に自店メダル枚数および他店メダル枚数を表示するようにしている。
【００４９】
また、メダル規定枚数設定部２２２は、他店メダルの占有率を規定する規定枚数（Ｍ枚）を設定する機能を備えている。このメダル規定枚数設定部２２２により設定される規定枚数（Ｍ枚）とは、他店メダルの占有率を示すメダルの枚数を表している。つまり、規定枚数（Ｍ枚）を設定することにより、他店メダルの占有率の高低を判定することができる。具体的には、他店メダルと判定されたメダル数が規定枚数（Ｍ枚）よりも多い場合は、他店メダルの占有率が高いと判定することができる。ここで、所定の枚数（Ｎ枚）とは、他店メダルの占有率を判定する場合に、基準となるメダルの投入枚数であり、この所定の枚数は、予め、工場出荷時に設定されている数値（メダルの枚数）或いは、このメダル規定枚数設定部２２２により設定する数値（メダルの枚数）とする。
【００５０】
判別センサ２２４は、メダルホッパー内に投入されたメダルが自店メダルか他店メダルかを判別する機能を備えている。具体的には、判別センサ２２４によりメダル表裏の画像情報を検出し、その検出結果を自店／他店メダル判別部２２０に出力する機能を備えている。
【００５１】
メモリ２３０は、自店メダル枚数記憶部２３１と、他店メダル枚数記憶部２３２と、メダル上限枚数記憶部２３３と、メダル規定枚数記憶部２３４と、メダル総枚数記憶部２３５とを備えている。このうち、自店メダル枚数記憶部２３１は、自店／他店メダル判別部２２０により判別された自店のメダル枚数を記憶する機能を備えている。
【００５２】
また、メダル上限枚数記憶部２３３は、メダル上限枚数設定部２２１により設定されたメダルの上限枚数を記憶する機能を備えている。メダル規定枚数記憶部２３４は、メダル規定枚数設定部２２２により設定されたメダルの規定枚数を記憶する機能を備えている。
【００５３】
また、メダル総枚数記憶部２３５は、メダル計数機構２７０により計数されたメダル計数値の総数を記憶する機能を備えている。なお、自店メダル枚数記憶部２３１、他店メダル枚数記憶部２３２、メダル総枚数記憶部２３５により記憶された自店メダル枚数、他店メダル枚数、メダルの総枚数は、自店／他店メダル情報データベース２３６（図６参照）に記憶／格納される。
【００５４】
ここで、図６を参照して、自店／他店メダル情報データベース２３６の構成の詳細について説明する。すなわち、図６に示すように、自店／他店メダル情報データベース２３６は、遊技ホールでの月／日に対応付けて、メダル計数機２００により計数されたメダルの総計数枚数と、自店メダルと判別された自店のメダル枚数と、他店メダルと判別された他店のメダル枚数とがそれぞれ記憶／格納されたデータベースである。
【００５５】
図３に戻り、他店メダル排除機構２４０は、自店で登録された正規のメダル以外のメダル（指定外メダル／他店で所有しているメダル）がメダル計数機１００に投入された場合に、この他店外のメダル（指定外のメダル）を他店メダルとして排除する機能を備えており、他店メダル分岐機構部２４１と、他店メダル搬送部２４２と、他店メダル排除機構２４０により、排除された他店外メダルを回収する他店メダル回収ボックス２４５とにより構成される。この他店メダル排除機構２４０を構成する他店メダル分岐機構部２４１の詳細については、後述する。
【００５６】
表示部２５１は、例えば液晶表示器（ＬＣＤ表示画面）などにより構成され、遊技客によりメダルホッパー内に投入されたメダルの総枚数および自店メダルの枚数と他店メダルの枚数とを区分して表示する機能を備えている（図８−１参照）。なお、この表示部２５１は、従来と同様にカラー表示により景品数、余り数などの各種情報を表示する機能も備えている。表示制御部２５２は、表示部２５１による表示を制御する表示制御機能を備えている。
【００５７】
メダル計数機構２７０は、メダル数をカウントするカウントセンサ２７５と、実際にメダルの計数（カウント）をおこなうメダル計数部２７１と、メダルホッパー内に投入されたメダルを搬送するメダル搬送部２７２とを備えている。前述したように、本実施例１におけるメダル計数機２００は、２種類のメダル（φ２５／φ３０）を計数する機能を備えており、通常仕様メダル（φ２５）では、計数速度２４００枚／分、沖縄仕様メダル（φ３０）では、計数速度２０００枚／分の計数機能を備えている。
【００５８】
以下、図７を参照して、メダル計数機構２７０および前述した他店メダル分岐機構部２４１の詳細について説明する。なお、この図７において、自店メダルの画像情報を「模様Ａ」とし、他店メダルの画像情報を「模様Ｂ」として示している。すなわち、前述した図３に示したように、メダル計数機構２７０は、メダルの計数をおこなうメダル計数部２７１と、遊技店の店員や遊技客により投入された複数枚のメダルの搬送をおこなうメダル搬送部２７２とにより構成される。図７に示すように、メダル搬送部２７２は、他店メダル分岐機構部２４１によりメダルの搬送経路が２方向に分岐する自店メダル搬送路２７３と他店メダル搬送路２４２とにより構成されている。
【００５９】
また、メダルが搬送されるメダル搬送部２７２の途中には、メダルの計数をおこなうカウントセンサ２７５とメダルの判別をおこなう判別センサ２２４とを有するセンサユニット２７６が配置されている。そして、店員或いは遊技客によりメダルホッパー内に投入された複数のメダルは１枚づつ、メダル搬送部２７２を搬送中にカウントセンサ２７５により検出されるとともに、メダル計数部２７１による計数がおこなわれ、次いで、判別センサ２２４により１枚づつメダルが自店のメダル或いは他店のメダルであるかが判別されることとなる。この場合、メダルの計数および判別はほぼ同時におこなわれる。
【００６０】
ここで、他店メダル分岐機構部２４１は、例えば、メダル搬送部２７２を移動するメダルの搬送経路をソレノイドなどの作動によりメダルの搬送経路を自店メダル搬送路２７３或いは他店メダル搬送路２４２とに振り分ける振り分け板などにより構成することができ、この他店メダル分岐機構部２４１は、判別センサ２２４および自店／他店メダル判別部２２０によりメダルが他店のメダルであると判別した場合、反時計方向に作動するようになっている（図７参照）。
【００６１】
ここで、図７に示すように、判別センサ２２４により、メダルホッパー内に投入されメダル搬送部２７２を移動するメダルが自店メダルと判別された場合、他店メダル分岐機構部２４１は作動しないようになっているため、自店メダルは、そのままメダル搬送部２７２を通じて、自店メダル搬送路２７３を経由して搬送される。一方、判別センサ２２４により他店メダルと判別された場合、他店メダル分岐機構部２４１が作動し、これにより搬送中のメダルは、メダル搬送部２７２から他店メダル搬送路２４２を通じて、他店メダル回収ボックス２４５（図３）に回収されることとなる。
【００６２】
図３に戻り、制御部２６５は、メダル計数機２００全体を統括的に制御する機能を備えている。電源部２８０は、メダル計数機２００に対して、所定の電源（ＡＣ電源１００Ｖ）を供給する機能を備えている。
【００６３】
通信Ｉ／Ｆ部２８５は、メダル計数機２００に接続されたレシート・カード端末機３００（図４）の通信Ｉ／Ｆ部３９５と、相互に通信をおこなうための機能を備えている。具体的には、メダル計数機２００の通信Ｉ／Ｆ部２８５からレシート・カード端末機３００の通信Ｉ／Ｆ部３９５を通じて、メダルの計数データ（メダル総枚数／自店メダル枚数／他店メダル枚数）を送信する機能を備えている。
【００６４】
レシート発行切換スイッチ２９０は、メダル計数機２００の表示部２５１に表示されたメダルの計数値（枚数）をレシートに印字する機能を備えている。具体的には、メダル計数値の合計枚数と、自店メダルの計数値と、他店メダルの計数値とをレシート・カード端末機３００により印字するように切り換える機能を備えている。このレシート発行切換スイッチ２９０の切り換えによりレシート・カード端末機３００のレシート排出口３５０（図４）から各メダルの計数値を印字したレシート（図８−２参照）を発行することができる。
【００６５】
ここで、遊技ホールでは、この遊技ホールの定休日などを利用して、遊技客に貸し出すメダル貸出機１１０内に貯留しておくメダルを全て自店メダルとする業務がある。このメダル計数管理システムを利用することにより他店メダルの排除を効率良く作業をおこなうことができる。具体的には、メダル貸出機１１０内のメダルを全てメダル計数機２００に投入することにより他店メダルを正確且つ、効率的に排除することができる。
【００６６】
（レシート・カード端末機３００の構成および機能の詳細）
次に、図２および図４を参照して、メダル計数機２００に隣設されるレシート・カード端末機３００の構成および機能の詳細について説明する。ここで、図２では、メダル計数機２００に隣接して、レシート・カード端末機３００が据置された例で説明する。ここで、本例において、メダル計数機２００本体とレシート・カード端末機３００とを別体構成としているが、メダル計数機２００とレシート・カード端末機３００とを一体構成とすることもできる。
【００６７】
また、このレシート・カード端末機３００は、会員用の会員カードの挿入時に、会員を特定する識別ＩＤに関連付けて、会員が遊技により獲得したメダル枚数および累積枚数（貯メダル枚数）を、会員カードに記録する機能を備えている。メダル計数機２００とレシート・カード端末機３００とは、接続ケーブルにより接続される構成としている。
【００６８】
レシート・カード端末機３００は、遊技客或いは遊技ホールの店員などにより投入された複数枚のメダル枚数をレシートに印字して出力（排紙）する機能を備えている。具体的には、メダル計数機２００の表示部２５１（図２）に表示される遊技客がパチスロ遊技により獲得したメダルの総枚数および自店メダルの枚数と他店メダルの枚数とを区分してレシートに印字（プリント）し、このレシートをレシート排出口３５０（図２）から出力（排紙）する機能を備えている（図８−２参照）。
【００６９】
すなわち、図２に示すように、レシート・カード端末機３００は、本体部３１０と、この本体部３１０の一部（前面部）が傾斜した傾斜部３２０とで構成され、傾斜部３２０には表示パネル部３３０（４インチのカラーＬＣＤ）が配置され、この傾斜部３２０の上方にはカード挿入／返却口３４０と、レシート排出口３５０とが配置されている。
【００７０】
また、このレシート・カード端末機３００の内部は、表示部３３１と表示制御部３３１ａと操作部３３２とからなる表示パネル部３３０と、カード挿入／返却口３４０と、レシート排出口３５０と、制御部３８０と、カード読取部３６０と、印字部３７０と、メモリ３７５と、電源部３９０と、通信Ｉ／Ｆ部３９５ととにより構成されている。
【００７１】
表示パネル部３３０は、表示部３３１およびテンキー（０〜９）と、確認キーと、取消キーなどが配置された操作部３３２とを備えたタッチパネル式に構成されている。店員用のＩＤカードや会員カードの挿入時には、操作部３３２によるテンキーの入力操作により、暗証番号などを入力することができる。
【００７２】
すなわち、操作部３３２は、確認スイッチや取消スイッチなどの各種機能スイッチ、さらには店員の暗証番号を入力するためのテンキースイッチ（０〜９）を配置して構成したものであり、具体的には、メダルを登録するときや店員がＩＤカードをカード挿入／返却口３４０に挿入した際に、暗証番号を入力する場合に使用される。表示制御部３３１ａは、表示部３３１による表示を制御する表示制御機能を備えている。
【００７３】
カード挿入／返却口３４０は、遊技ホール内の店員が所有する店員用のＩＤカードを受け入れて、このＩＤカードをカード情報読取部３６０に取り込むとともに、このカード情報読取部３６０において所望の処理を施した後、このＩＤカードを再度、返却するための開口部である。ここで、店員用のＩＤカードは、遊技ホール内の店員が所有するとともに、店員個々を認証するための識別カードで、このＩＤカードには、個別のＩＤ番号（００３２６９・・・）が記録されている。
【００７４】
カード情報読取部３６０は、店員用のＩＤカードや会員カードに記録されたカード情報を読み取る機能を備えており、カード挿入／返却口３４０から挿入された店員用のＩＤカードや会員カードに記録された記録情報（識別ＩＤ）を読み取る機能（リード）機能を有している。具体的には、カード情報読取部３６０の磁気ヘッドにより、各カードに記録されたカード情報の読み取りをおこなうことができる。
【００７５】
メモリ３７５は、メダル計数機２００の表示部２５１に表示されたメダルの総枚数および自店メダルの枚数／他店メダルの枚数とを一時的に記憶する機能を備えている。
【００７６】
印字部３７０は、メダル計数機２００の表示部２５１に表示される遊技客或いは店員により投入されたメダルの総枚数および自店メダルの枚数と他店メダルの枚数とを区分してメダル枚数を、印字（プリント）する機能を備えている。この印字部２７０により印字されたレシートは、レシート排出口３５０から発行される。
【００７７】
制御部３８０は、レシート・カード端末機３００全体の制御をおこなうためのＯＳ（Operating System）などの制御プログラムおよびメダルの印字処理に係わる種々の処理を実行する処理部としての機能を備えている。
【００７８】
電源部３９０は、レシート・カード端末機３００に対して所定の電源を供給する機能を備えている。通信Ｉ／Ｆ部３９５は、メダル計数機２００の通信Ｉ／Ｆ部２８５を介して、メダルの総枚数および自店メダルの枚数と他店メダルの枚数を受信する機能を備えている。
【００７９】
（メダル貸出機１１０の構成および機能）
次に、図５を参照してメダル貸出機１１０の構成および機能の詳細について説明する。図５は、メダル貸出機１１０の全体構成の機能ブロック図を示している。すなわち、メダル貸出機１１０は、縦長の直方体型に構成されており、このメダル貸出機１１０の内部には、前面上部から紙幣を投入するための紙幣投入口１１１と、メダル枚数／エラー表示部１１２と、メダルを投出するためのメダル投出装置１１３と、メモリ１１４と、紙幣投入口１１１から投入された紙幣が正常な紙幣であるかを識別する紙幣識別装置１１５と、電源部１１６と、メダル貸出機１１０全体の制御をおこなう貸出制御部１１７と、島コントローラ１２０との間で通信をおこなう通信Ｉ/Ｆ部１１８と、メダル貸出機１１０からメダルを投出するメダル投出口１１９とを備えている。
【００８０】
また、図示しないメダルを補給するためのメダル補給ドア、メダル補給ドアから補給された所定量のメダルを貯留する補助タンクなどを備えている。
【００８１】
図５において、紙幣投入口１１１は、現金（紙幣）を受け入れてこれを紙幣識別装置１１５に取り込むための開口部である。この紙幣投入口１１１には、１０００円札の紙幣を投入することができる。
【００８２】
メダル枚数／エラー表示部１１２は、紙幣の投入時、メダル貸出機１１０から投出されるメダルの枚数およびエラーの発生時にエラー内容（エラー情報）を表示する機能を有している。
【００８３】
メモリ１１４は、一時的に紙幣の金額情報、メダルの投出情報などを記憶する記憶部である。紙幣識別装置１１５は、紙幣投入口１１１から投入された紙幣が正常であるかを識別する機能を備えており、正常と判定された紙幣は内部に収納する。一方、紙幣識別装置１１５による判定により、識別不能な紙幣については、紙幣投入口１１１から返却する。
【００８４】
貸出制御部１１７は、メダル貸出機１１０の各処理部を一括して制御する全体コントロール機能を備えている。この貸出制御部１１７は、紙幣の挿入によるタイミングに基づいてメダル投出装置１１３に対してメダル投出要求を通知（送信）することができる。
【００８５】
通信Ｉ／Ｆ部１１８は、島コントローラ１２０との間で相互にデータの送受信をおこなうインターフェースとして機能する。電源部１１６は、メダル貸出機１１０に対して所定の電源を供給する機能を備えている。
【００８６】
（メダル計数機２００によるメダル計数管理手順）
次に、図９のフローチャートを参照して、本実施例１に係るメダルの計数管理手順を詳細に説明する。この図９に示すフローチャートは、遊技客が獲得した遊技媒体（メダル）の計数をおこなうメダル計数機２００の制御部２６５（図３）によるメダル計数管理手順を示している。ここで、以下の図９に示すフローチャートでは、遊技ホールの店員が計数をおこなうことを前提に説明する。
【００８７】
すなわち、図９のフローチャートに示すように、先ず、遊技ホールの店員が遊技客がパチスロ遊技により獲得したメダルをメダル計数機２００（メダルホッパー内）に投入すると（ステップＳ１１０）、メダル計数機２００によりメダルの投入が検出され、以下、このメダルホッパー内に投入された複数枚のメダルを対象とするメダルの枚数を計数するとともに、メダルが自店メダルか他店メダルであるかを判別するメダル計数・判別処理に移行する（ステップＳ１２０）。
【００８８】
このメダル計数・判別処理は、メダル計数機構２７０（図７）に設けられたセンサユニット２７６内のカウントセンサ２７５によって、メダルホッパー内に投入されたメダルの計数および判別センサ２２４によって、投入されたメダルの画像情報に基づいて、投入されたメダルの判別をおこなう処理である。
【００８９】
すなわち、カウントセンサ２７５により、投入されたメダルがメダル搬送部２７２（図７）を通過する際に、メダル枚数のカウントをおこない、カウントしたメダルの総枚数をメモリ２３０内のメダル総枚数記憶部２３５に記憶する（ステップＳ１３０）。本例では、このカウントセンサ２７５によりメダルの総枚数が１３０００枚カウントされたとして、以下、説明する。
【００９０】
また、判別サンサ２２４により、自店／他店メダル判別部２２０（図３）により自店で予め登録されている正規のメダルの画像情報と、搬送されたメダルの画像情報とを照合し、これら画像情報を比較することでおこなう。具体的には、メダルホッパー内に投入されたメダルがメダル搬送部２７２（図７）を通過する際に、このメダル搬送部２７２に設けられた判別センサ２２４により搬送されたメダルが自店メダルか他店メダルかの判別がおこなわれる。
【００９１】
すなわち、自店／他店メダル判別処理により判別（計数）された自店メダルの枚数は、メモリ２３０内の自店メダル枚数記憶部２３１に（ステップＳ１４０）、他店メダルの枚数は、他店メダル枚数記憶部２３２にそれぞれ記憶される（ステップＳ１５０）。なお、これら自店メダル枚数記憶部２３１および他店メダル枚数記憶部２３２に記憶された各メダルの枚数情報は、自店／他店メダル情報データベース２３６（図６）に格納される。
【００９２】
ここで、本例では、図６の自店／他店メダル情報データベース２３６に示すように、自店／他店メダル判別部２２０により自店のメダルと判別された自店メダル枚数が、１２３４５枚であり、他店のメダルと判別された他店メダル枚数が６５５枚であるとして、以下説明する。
【００９３】
次いで、メダル枚数表示処理に移行する（ステップＳ１６０）。このメダル枚数表示処理は、メダル計数機２００の表示部２５１に、ステップＳ１２０により計数処理されたメダルの総枚数値、自店のメダルと判別された自店メダルの枚数値、他店メダルと判別された他店メダルの枚数値をそれぞれ表示する処理である。
【００９４】
具体的には、前述した図８−１に示すように、本例では、表示部２５１に、メダルの総枚数値を示す「１３０００枚」と、自店メダルの枚数値を示す「１２３４５枚」と、他店メダルの枚数値を示す「６５５枚」を表示する処理をおこなう（ステップＳ１７０）。これによって、遊技ホールでは、自店のメダルとして計数されたメダルの枚数値以外に、他店のメダルとして計数されたメダルの枚数を目視により正確に把握することができる。
【００９５】
図９に戻り、ステップＳ１７０の処理により表示部２５１にメダル枚数データ（メダルの総枚数値／自店メダル枚数／他店メダル枚数）を表示した後、次いで、メダル計数値印字判定処理に移行する（ステップＳ１８０）。このメダル計数値印字判定処理は、表示部２５１に表示されたメダル枚数データ（メダルの総枚数値／自店メダル枚数／他店メダル枚数）をレシートに印字するか否かを判定する処理である。実際には、レシート発行切換スイッチ２９０（図３）によりプリントが設定されている場合は、レシート・カード端末機３００による印字処理に移行する。
【００９６】
すなわち、次の、ステップＳ２００の判定によりメダル計数結果の印字処理に移行すると判定された場合には（ステップＳ２００肯定）、メダル計数機２００からレシート・カード端末機３００に対して、「印字指示信号」が送信される（ステップＳ２１０）。具体的には、メダル計数情報（メダルの総枚数値の「１３０００枚」、自店メダルの枚数値の「１２３４５枚」、他店メダルの枚数値が６５５枚）が送信されることとなる。一方、ステップＳ２００の判定によりメダル計数結果の印字処理に移行しないと判定された場合には（ステップＳ２００否定）、印字処理に移行することなく、そのまま処理を終了し（エンド）、以下、個別での対応がおこなわれる（メダル計数機２００自体の処理は、終了するが、何らかの対応がおこなわれることとなる）。
【００９７】
ここで、レシート・カード端末機３００は、メダル計数機２００から送信される「印字指示信号」の待機状態であり、メダル計数機２００から送信される「印字指示信号」を受信すると（ステップＳ２２０肯定）、次いで、メダル計数結果の取得があるかの判定により（ステップＳ２３０）、メダル計数結果の取得がある場合には（ステップＳ２３０肯定）、以下、ステップＳ２４０によるメダル計数結果の印字処理に移行する。
【００９８】
具体的には、メダル総枚数と自店メダル枚数と他店メダル枚数をレシート・カード端末機３００の印字部３７０（図４）によりレシートに印字するとともに、このレシートをレシート排出口３５０から排出する（ステップＳ２５０）。以下、全ての処理を終了する（エンド）。
【００９９】
ここで、図８−２は、レシート・カード端末機３００からプリント（印字）されるメダル計数機２００により計数されたメダルの総枚数、自店メダル枚数、他店メダル枚数を印字しているレシートの一例を示している。この図８−２に示すように、本例では、メダル計数機２００により計数されたメダル総枚数（１３０００枚）に対して、自店メダル枚数が１２３４５枚で他店メダル枚数が６５５枚であることを示している。これによって、遊技ホールでは、自店のメダルとして計数されたメダルの枚数値以外に、他店のメダルとして計数されたメダルの枚数をレシートにより正確に確認／管理することができる。
【０１００】
以上説明したように、本実施例１に係るメダル計数管理システムによれば、メダル計数機２００は、自店メダル登録部２１０に登録された特定情報に基づいて、メダル計数機構２７０により計数された複数のメダルが自店メダルか他店メダルかを判別する自店／他店メダル判別部２２０と、メダル計数機構２７０により計数されたメダルの総計数値と、自店／他店メダル判別部２２０により判別された自店メダルの計数値と他店メダルの計数値とを別々に表示する表示部２５１とを備え、メダル計数部２７１により計数されたメダルの総計数値と、自店／他店メダル判別部２２０により判別された自店メダルの計数値と他店メダルの計数値とを別々に表示部２５１に表示するので、自店で登録した自店メダル（指定メダル）のメダル枚数および他店から持ち込まれた他店メダル枚数を正確に把握することができるうえ、不正な計数に対する防止対策およびセキュリティ機能を向上することができる。
【実施例２】
【０１０１】
次に、図１０のフローチャートを参照して、本実施例２に係るメダルの計数管理手順を詳細に説明する。この図１０に示すフローチャートは、遊技客が獲得した遊技媒体（メダル）の計数をおこなうメダル計数機２００の制御部２６５（図３）によるメダル計数管理手順の別例を示している。ここで、本実施例２においては、自店／他店メダル判別部２２０により他店メダルと判別された他店メダルの上限枚数が、予め設定した上限枚数を超えた場合にのみ、自店メダル枚数と他店メダル枚数との両者の計数枚数を表示部２５１（図３）に表示することに特徴がある。
【０１０２】
また、この場合も、実施例１と同様、メダル計数機２００から印字指示信号の送信がある際、レシート・カード端末機３００からレシートに自店メダル枚数および他店メダル枚数とを印字し、出力するようにしている。なお、他店メダルの上限枚数の設定は、自店／他店メダル判別部２２０に備えたメダル上限枚数設定部２２１（図３）によりおこなわれる。
【０１０３】
ここで、この図１０に示すフローチャートにおいて、前述した実施例１によるステップＳ１２０〜ステップＳ１５０およびステップＳ１８０〜ステップＳ２５０までの処理は同様であるため、ここでは、主に、本実施例２の特徴部分であるステップＳ１７５〜ステップＳ１７８までの処理手順について説明する。
【０１０４】
すなわち、図１０のフローチャートに示すように、メダルの計数および判別処理をおこない（ステップＳ１２０）、メダルの総枚数の記憶（ステップＳ１３０）、自店メダル枚数の記憶（ステップＳ１４０）、他店メダル枚数の記憶（ステップＳ１５０）をおこなった後、本例では、次いで、他店メダルと判別されたメダルの枚数が予め設定した他店メダルの上限値（上限枚数）を超えたか否かの判定をおこなう（ステップＳ１７５）。
【０１０５】
すなわち、自店／他店メダル判別部２２０により判別された他店のメダル枚数と予め設定した他店のメダル枚数の上限枚数とを比較する処理（「他店メダル枚数≦上限値？」）をおこない（ステップＳ１７５）、このステップＳ１７５の判定により、他店メダル枚数が上限値よりも少ない（他店メダル枚数≦上限値）と、判定された場合には（ステップＳ１７５肯定）、第一メダル枚数表示処理に移行する（ステップＳ１７６）。この第一メダル枚数表示処理は、表示部２５１にメダルの総枚数のみを表示する処理である（ステップＳ１７７）。
【０１０６】
一方、ステップＳ１７５の判定により、他店メダルと判定されたメダル枚数が上限値を超えたと判定された場合（他店メダル枚数≧上限値）には（ステップＳ１７５否定）、第二メダル枚数表示処理（ステップＳ１７７）に移行する。この第二メダル枚数表示処理は、表示部２４１にメダル総枚数／自店メダル枚数／他店メダル枚数を表示する処理である（ステップＳ１７８）。
【０１０７】
以下、前述した実施例１と同様、ステップＳ１８０〜ステップＳ２５０の処理をおこない、第一メダル枚数表示処理では、表示部２５１にメダルの計数データ（メダルの総枚数）を表示する処理および印字要求時には、レシート・カード端末機３００により表示部２５１に表示されたメダルの計数データを印字してレシートを発行する処理をおこなう。また、第二メダル枚数表示処理では、表示部２５１にメダルの計数データ（メダルの総枚数、自店メダル枚数、他店メダル枚数）を表示する処理および印字要求時には、レシート・カード端末機３００により表示部２５１に表示されたメダルの計数データを印字してレシートを発行する処理をおこなう。
【０１０８】
以上説明したように、本実施例２に係るメダル計数管理システムによれば、予め、他店のメダル枚数の上限値（上限枚数）を設定するとともに、自店／他店メダル判別部２２０により判別された他店のメダル枚数と予め設定した他店のメダル枚数の上限枚数とを比較し、他店のメダル枚数が予め設定した上限枚数を超えたと判別された場合にのみ、他店メダルのメダル枚数（計数値）を表示部２５１に表示するので、他店メダル枚数を正確に把握することができるうえ、他店から大量に他店メダルが持込まれた場合を想定とする不正な計数に対する防止対策に基づくメダル計数管理システムを実現することができる。
【実施例３】
【０１０９】
次に、図１１のフローチャートを参照して、本実施例３に係るメダルの計数管理手順を詳細に説明する。この図１１に示すフローチャートは、遊技客が獲得した遊技媒体（メダル）の計数をおこなうメダル計数機２００の制御部２６５（図３）によるメダル計数管理手順の別例を示している。
【０１１０】
ここで、本実施例３の特徴は、メダル計数機２００によるメダル計数時における初期に投入される所定枚数Ｎ（例えば、５０枚）を対象として、自店メダルと他店メダルとを判別する判別処理をおこない、この判別処理により大量に他店メダルが投入されたことが推測された場合にのみ（例えば、２０枚程度）、実施例１と同様に、投入されたメダル１枚毎を対象とする判別処理を継続しておこない、この一方、他店のメダルの混入がない場合（例えば、５０枚判別されたメダルのうち、自店のメダル５０枚、他店メダル枚数０枚）、或いは、他店のメダルが規定枚数以下（例えば、５０枚判別されたメダルのうち、自店のメダル４０枚、他店メダル枚数１０枚）であると判定された場合には、判別処理を停止して、メダルの計数処理のみをおこなうことに特徴がある。
【０１１１】
具体的に説明すると、自店メダルと他店メダルとの判別処理を継続するか否かの基準となる所定の枚数（Ｎ枚）と、他店メダルの占有率を規定する規定枚数Ｍを設定するとともに、メダル枚数の計数時に他店メダルの占有率が高いと判定された場合には、メダル計数機２００に投入されたメダルには、大量の他店メダルが混入していると想定できるため、この規定枚数（Ｍ枚）を超える他店メダルが判別された場合には、以降、全てのメダルを対象とする自店／他店メダル判別処理を継続しておこなうようにしている。前述したように、所定の枚数（Ｎ枚）とは、他店メダルの占有率を判定する場合に、基準となるメダルの投入枚数であり、この所定の枚数は、予め、工場出荷時に設定されている数値（メダルの枚数）或いは、メダル規定枚数設定部２２２により設定する数値としている。
【０１１２】
一方、他店からの悪意のある持ち込みではなく、なんらかの原因により数枚（規定枚数のＭ枚以下）の他店メダルが混入していると判定された場合、或いは、他店メダルの混入がないと判定された際には、特に、自店／他店メダル判別処理を継続しておこなう必要がないため、この時点で、自店／他店メダル判別処理を中断或いは停止するようにしている。
【０１１３】
以下、フローチャートに基づいて、説明する。すなわち、図１１のフローチャートに示すように、先ず、店員によりメダルが投入されると（ステップＳ１１０）、次いで、メダルの計数をおこなう第一メダル枚数計数処理に移行する（ステップＳ１２１）。この第一メダル枚数計数処理は、初期に投入される所定枚数であるＮ枚分（例えば、５０枚）のメダルまでを計数する処理である。具体的には、所定枚数のＮ枚分の計数が終了したかの判定（メダル計数枚数＝Ｎ枚？）をおこない（ステップＳ１２２）、このステップＳ１２２の判定により、所定枚数Ｎ枚分（５０枚）までの計数がおこなわれたと判定された場合には（ステップＳ１２２肯定）、次いで、自店／他店メダル判別処理に移行する（ステップＳ１２３）。この自店／他店メダル判別処理は、初期に投入された所定枚数Ｎ枚分（例えば、５０枚）のメダルを対象として、このＮ枚（５０枚）のメダルのうち何枚、他店のメダルが混入しているかを判定する処理である。
【０１１４】
そして、このステップＳ１２３による自店／他店メダル判別処理により、他店メダルと判定されたメダル枚数を取得し（ステップＳ１２４）、次いで、このステップＳ１２４により取得された他店のメダル枚数が予め設定した規定枚数のＭ枚よりも多いか否かの判定（他店メダル枚数≧Ｍ枚？）をおこなう（ステップＳ１２５）。そして、このステップＳ１２５の判定により他店のメダル枚数が規定枚数のＭ枚よりも多いと判定された場合（他店メダル枚数≧Ｍ枚）には（ステップＳ１２５肯定）、次の、メダル計数・判別処理に移行する（ステップＳ１２８）。
【０１１５】
このメダル計数・判別処理は、ホッパー内に投入された残りのメダル（Ｎ＋１枚目以降のメダル）を対象として計数および判別をおこなう処理である。以下、実施例１、２と同様、ステップＳ１３０〜ステップＳ２５０の処理をおこない、表示部２５１にメダルの計数データ（メダルの総枚数、自店メダル枚数、他店メダル枚数）を表示する処理およびレシート・カード端末機３００により表示部２５１に表示されたメダルの計数データをレシートを発行する処理をおこなう。
【０１１６】
一方、ステップＳ１２５の判定により、他店のメダル枚数が予め設定した規定枚数のＭ枚よりも少ない（他店メダル枚数＜Ｍ枚）と判定された場合には（ステップＳ１２５否定）、次の、第二メダル枚数計数処理に移行する（ステップＳ１２６）。この第二メダル枚数計数処理は、残りのメダル（Ｎ＋１枚目以降のメダル）を対象としてメダルの計数をおこなう処理である（５０枚以降の全てのメダルの計数をおこなう処理）。
【０１１７】
次いで、メダル総枚数の表示をおこなう（ステップＳ１２７）。ここで、この場合のメダル総枚数の表示は、メダルの総枚数（自店メダル枚数）のみを表示する処理となり、ステップＳ２２０〜ステップＳ２５０によるレシート・カード端末機３００により印字されるレシートには、メダルの総枚数のみが印字されることとなる。これによって、他店メダルの混入が少ないと想定された場合には、自店／他店メダル判別処理手順を削減できることからメダル計数管理を効率良くおこなうことができる。
【０１１８】
なお、この実施例３において、メダル計数時の初期時に投入されたメダルを判別対象としているが、任意の所定単位枚数毎（１００枚単位）に規定枚数Ｍ枚よりも他店メダルの枚数が多いか否かの判定により、メダル判別処理を継続するかの判定をおこなうようにしてもよい。
【０１１９】
以上説明したように、本実施例３に係るメダル計数管理システムによれば、予め、他店メダル枚数の基準値（占有枚数）となる規定枚数（Ｍ枚）を設定するとともに、メダル計数時の初期時（所定枚数の計数時）に、他店メダルの計数値が規定枚数（Ｍ枚）よりも少ない或いは、１枚もないと判定された場合には、以降は、自店／他店メダル判別処理を中断する処理をおこない、一方、規定枚数（Ｍ枚）を超える他店メダルが判別された場合には、他店メダルの占有率（計数値／判別枚数）が高いと判定するとともに、（具体的には、この時、メダル計数機２００に投入された複数のメダルには、大量の他店メダルが混入していると想定し、）以降、全てのメダルを対象とする自店／他店メダル判別処理を継続しておこなうようにしているので、他店から持ち込まれた他店メダル枚数が多いと推測された場合にのみ、自店／他店メダル判別処理を継続しておこなうことから、効率的にメダルの判別処理および自店メダルおよび他店メダルの計数管理をおこなうことができる。
【０１２０】
ここで、メダル計数機２００における各設定は、このメダル計数機２００で直接入力する以外にターミナルコントローラ１４０で入力操作をおこない、設定を複数台のメダル計数機２００に配信するようにしてもよい。この場合、遊技店内に設置された複数台のメダル計数機２００に対する一括設定を可能とすることができる。
【０１２１】
（他の実施例）
さて、これまで本発明の実施例について説明したが、本発明は上述した実施例以外にも、上記特許請求の範囲に記載した技術的思想の範囲内において種々の異なる実施例にて実施されてもよいものである。
【０１２２】
すなわち、本実施例１〜３では、本発明に係る遊技媒体計数システムをパチスロ遊技に適用した場合を示しているが、本発明の遊技媒体計数システムは、パチスロ遊技に限定することなく、例えば、パチンコ機による遊技媒体計数システムにも好適に適用することができる。
【０１２３】
また、本実施例１〜３において説明した各処理のうち、自動的におこなわれるものとして説明した処理の全部または一部を手動的におこなうこともでき、或いは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【産業上の利用可能性】
【０１２４】
以上のように、本発明に係るメダル計数管理システムは、自店で登録されたメダルの枚数と他店メダルと判別されたメダルの枚数とをメダル計数機の表示部に表示することにより、自店のメダル枚数と他店のメダル枚数を確実に把握／管理することができるメダル計数管理システムに適している。
【図面の簡単な説明】
【０１２５】
【図１】本実施例１に係るメダル計数管理システムの概要を示す全体機能ブロック図である。
【図２】図１に示したメダル計数機およびレシート・カード端末機の概要を示す外観斜視図である。
【図３】同メダル計数機の構成を示す機能ブロック図である。
【図４】同レシート・カード端末機の構成を示す機能ブロック図である。
【図５】同メダル貸出機の構成を示す機能ブロック図である。
【図６】自店／他店メダル情報データベースの構成内容を示す図である。
【図７】自店／他店メダルの搬送部および他店メダル分岐機構部の概要を示す説明図である。
【図８−１】表示部に表示されるメダル枚数データを示す表示例である。
【図８−２】レシート・カード端末機により発行されるレシートの印字例を示す図である。
【図９】本実施例１に係るメダル計数管理システムの全体制御手順を示すフローチャートである。
【図１０】本実施例２に係るメダル計数管理システムの全体制御手順を示すフローチャートである。
【図１１】本実施例３に係るメダル計数管理システムの全体制御手順を示すフローチャートである。
【符号の説明】
【０１２６】
１００  パチスロ機
１１０  メダル貸出機
１１２  メダル枚数／エラー表示部
１１３  メダル投出装置
１１６、２８０、３９０  電源部
１１８、２８５、３９５  通信I／F部
１１７  貸出制御部
１１９  メダル投出口
１２０  島コントローラ
１４０  ターミナルコントローラ
２００  メダル計数機
２１０  自店メダル登録部
２１１  特定情報登録部
２１２  自店メダル情報登録部
２１３  自店メダル情報データベース
２２０  自店／他店メダル判別部
２２１  メダル上限枚数設定部
２２２  メダル規定枚数設定部
２２４  判別センサ
２３１  自店メダル枚数記憶部
２３２  他店メダル枚数記憶部
２３３  メダル上限枚数記憶部
２３４  メダル規定枚数記憶部
２３６  自店／他店メダル情報データベース
２４０  他店メダル排除機構
２４１  他店メダル分岐機構部
２４２  他店メダル搬送路
２４５  他店メダル回収ボックス
２５１、３３１  表示部
２７２  メダル搬送部
２７３  自店メダル搬送路
２６５、３８０  制御部
２９０  レシート発行切換スイッチ
３００  レシート・カード端末機
３３０  表示パネル部
３１０  本体部
３２０  傾斜部
３３２  操作部
３４０  カード挿入／返却口
３５０  レシート排出口
３６０  カード情報読取部
３７０  印字部
１１４、２３０、３７５  メモリ
【図１】
2006296989.tif 000003
【図２】
2006296989.tif 000004
【図３】
2006296989.tif 000005
【図４】
2006296989.tif 000006
【図５】
2006296989.tif 000007
【図６】
2006296989.tif 000008
【図７】
2006296989.tif 000009
【図８−１】
2006296989.tif 000010
【図８−２】
2006296989.tif 000011
【図９】
2006296989.tif 000012
【図１０】
2006296989.tif 000013
【図１１】
2006296989.tif 000014